(57)【要約】【課題】表示面が略水平な状態で設置された場合であっても、利用者が表示面を斜めに見下ろす形で確実に視認することが可能な表示装置の提供。【解決手段】本発明の表示装置１０は、光源１６と、光入射面１９ｃ、光入射面１９ｃ側が上昇する形で水平面に対して角度θ２（ただし、０°≦θ２≦２５°）で傾くように配される光出射面１９ａを有する導光板１９と、光学シート１５と、光学シート１５を介して光出射面１９ａと対向するように光出射面１９ａに対して平行に配され、光出射面１９ａから出射された光が光学シート１５を介して入射される背面１１ｂと、背面１１ｂから入射された光が光出射面１９ａの傾く方向に沿いつつ法線Ｍ方向に対して角度θ１（ただし、θ１＝４５°−θ２±１５°）をなす方向に輝度ピークを含む出射光Ｌ３として出射され、出射光Ｌ３に基づいて画像が表示される表示面１１ａとを有する表示パネル１１とを備える。【選択図】図６
2014041284.tif 000002
【特許請求の範囲】
【請求項１】
光源と、
板状部材であって、前記板状部材の一端面からなり前記光源と対向しつつ前記光源から発せられた光が入射される光入射面と、前記板状部材の表側の板面からなり前記光入射面から入射された光が出射され、前記光入射面側が上昇する形で水平面に対して角度θ２（ただし、０°≦θ２≦２５°）で傾くように配される光出射面とを有する導光板と、
前記光出射面を覆う形で配され前記光出射面から出射された光を透過させる光学シートと、
前記光学シートを介して前記光出射面と対向するように前記光出射面に対して平行に配され、前記光出射面から出射された光が前記光学シートを介して入射される背面と、前記背面から入射された光が前記光出射面の傾く方向に沿いつつ法線方向に対して角度θ１（ただし、θ１＝４５°−θ２±１５°）をなす方向に輝度ピークを含む出射光として出射され、前記出射光に基づいて画像が表示される表示面とを有する表示パネルと、を備える表示装置。
【請求項２】
前記光出射面から前記光学シートに向けて出射される光は、前記光出射面の傾く方向に沿いつつ前記法線方向に対して角度θ０（ただし、θ１＜θ０＜９０°）をなす方向に輝度ピークを含む請求項１に記載の表示装置。
【請求項３】
前記光学シートは、１枚以上の拡散シートを含む請求項１又は請求項２に記載の表示装置。
【請求項４】
前記光学シートは、１枚以上のマイクロレンズシートを含む請求項１から請求項３のいずれか一項に記載の表示装置。
【請求項５】
前記光学シートは、１枚以上の反射型偏光シートを含む請求項１から請求項４のいずれか一項に記載の表示装置。
【請求項６】
前記導光板の裏側の板面を覆う形で配される反射シートを備える請求項１から請求項５のいずれか一項に記載の表示装置。
【請求項７】
前記導光板は、表側の板面及び裏側の板面のうち少なくとも一方の板面に、前記光入射面から入射された光を散乱又は反射させて前記光出射面から出射させる所定の面内分布を含むパターン状の散乱・反射部を有する請求項１から請求項６のいずれか一項に記載の表示装置。
【請求項８】
前記表示パネルの表示面を覆う形で配され、前記表示面から出射された前記出射光を透過させる保護パネルを備える請求項１から請求項７のいずれか一項に記載の表示装置。
【請求項９】
前記保護パネルは、ガラス、アクリル樹脂、ポリスチレン樹脂、メチルメタクリレート・スチレン共重合樹脂からなる群から選ばれる少なくとも１種からなる請求項８に記載の表示装置。
【請求項１０】
前記表示パネルと前記保護パネルとの間に配されるタッチパネルセンサを備える請求項８又は請求項９に記載の表示装置。
【請求項１１】
前記保護パネルは、前記表示面に対して平行な状態で配される請求項１から請求項１０のいずれか一項に記載の表示装置。
【請求項１２】
前記保護パネルは、前記表示面に対して傾斜した状態で配される請求項１から請求項１０のいずれか一項に記載の表示装置。
【請求項１３】
前記保護パネルの板面から出射される出射光の輝度ピークは、前記光出射面の傾く方向に沿いつつ前記保護パネルの法線方向に対して角度θ１をなす方向に現れる請求項１から請求項１２のいずれか一項に記載の表示装置。
【請求項１４】
前記光入射面の反対側に配される前記導光板の端面に宛がわれる弾性部材を備える請求項１から請求項１３のいずれか一項に記載の表示装置。
【請求項１５】
前記表示パネルは、一対の基板間に液晶を封入してなる液晶パネルからなる請求項１から請求項１４のいずれか一項に記載の表示装置。
【発明の詳細な説明】
【技術分野】
【０００１】
本発明は、表示装置に関する。
【背景技術】
【０００２】
テレビ、携帯電話、携帯情報端末等の表示装置に、液晶パネルが利用されている。液晶パネルは、画像を表示させるために、外部の光を利用する必要がある。そのため、この種の表示装置は、特許文献１に示されるように、液晶パネルと共に、液晶パネルに光を供給するための照明装置（所謂、バックライト装置）を備えている。この照明装置は、液晶パネルの背面側に配されており、面状に広がった光を液晶パネルの背面に向けて照射するように構成されている。
【０００３】
液晶パネルの背面に照明装置からの光が照射されると、その光は液晶パネルの表示駆動に応じて透過し、液晶パネルの表示面から出射される。なお、前記表示面から出射される光の輝度分布は、通常、前記表示面の法線方向に輝度ピークが配されるように、諸条件が設定されている。
【先行技術文献】
【特許文献】
【０００４】
【特許文献１】特開２００７−１７３０３５号公報
【発明の概要】
【発明が解決しようとする課題】
【０００５】
近年、液晶パネルを利用した表示装置は、多様化しており、様々な形態で利用されている。例えば、利用者が液晶パネルの表示面を斜めに見下ろす形で視認できるように、液晶パネルの表示面が略水平となるように表示装置が設置されて利用されること（所謂、平置きされること）がある。しかしながら、表示装置の表示面から出射される光の輝度分布は、表示装置の利用形態にかかわらず、従来は、前記表示面の法線方向に輝度ピークが配されるように設定されている。そのため、利用者が表示装置の表示面を斜めに見下ろす形で視認しようとすると、表示面に表示される画像が暗く感じてしまい、問題となっている。
【０００６】
例えば、表示装置が小型であれば、利用者は真上から見下ろすことによって、表示面を最も明るい正面方向から視認することもできる。しかしながら、表示装置が大型の場合や、表示装置が設置される個所（例えば、利用者から離れた個所に表示面が略水平となるように表示装置が設置されている場合）によっては、利用者が表示面を真上から見下ろすように視認することができない場合もある。このような場合であっても、確実に表示面を視認できる表示装置が近年、望まれている。
【０００７】
本発明の目的は、表示面が略水平な状態で設置された場合であっても、利用者が表示面を斜めに見下ろす形で確実に視認することが可能な表示装置を提供することである。
【課題を解決するための手段】
【０００８】
本発明に係る表示装置は、光源と、板状部材であって、前記板状部材の一端面からなり前記光源と対向しつつ前記光源から発せられた光が入射される光入射面と、前記板状部材の表側の板面からなり前記光入射面から入射された光が出射され、前記光入射面側が上昇する形で水平面に対して角度θ２（ただし、０°≦θ２≦２５°）で傾くように配される光出射面とを有する導光板と、前記光出射面を覆う形で配され前記光出射面から出射された光を透過させる光学シートと、前記光学シートを介して前記光出射面と対向するように前記光出射面に対して平行に配され、前記光出射面から出射された光が前記光学シートを介して入射される背面と、前記背面から入射された光が前記光出射面の傾く方向に沿いつつ法線方向に対して角度θ１（ただし、θ１＝４５°−θ２±１５°）をなす方向に輝度ピークを含む出射光として出射され、前記出射光に基づいて画像が表示される表示面とを有する表示パネルと、を備える。表示装置がこのような構成を備えていると、表示面が略水平な状態に設置されていても、利用者は、表示面を斜めに見下ろす形で確実に視認することができる。
【０００９】
前記表示装置において、前記光出射面から前記光学シートに向けて出射される光は、前記光出射面の傾く方向に沿いつつ前記法線方向に対して角度θ０（ただし、θ１＜θ０＜９０°）をなす方向に輝度ピークを含むものであってもよい。
【００１０】
前記表示装置において、前記光学シートは、１枚以上の拡散シートを含むものであってもよい。
【００１１】
前記表示装置において、前記光学シートは、１枚以上のマイクロレンズシートを含むものであってもよい。
【００１２】
前記表示装置において、前記光学シートは、１枚以上の反射型偏光シートを含むものであってもよい。
【００１３】
前記表示装置において、前記導光板の裏側の板面を覆う形で配される反射シートを備えるものであってもよい。
【００１４】
前記表示装置において、前記導光板は、表側の板面及び裏側の板面のうち少なくとも一方の板面に、前記光入射面から入射された光を散乱又は反射させて前記光出射面から出射させる所定の面内分布を含むパターン状の散乱・反射部を有するものであってもよい。
【００１５】
前記表示装置において、前記表示パネルの表示面を覆う形で配され、前記表示面から出射された前記出射光を透過させる保護パネルを備えるものであってもよい。
【００１６】
前記表示装置において、前記保護パネルは、ガラス、アクリル樹脂、ポリスチレン樹脂、メチルメタクリレート・スチレン共重合樹脂からなる群から選ばれる少なくとも１種からなるものであってもよい。これらの材料は、保護パネルとして好ましい屈折率を備えており、本発明の目的を達成する際の妨げとならないものである。
【００１７】
前記表示装置において、前記表示パネルと前記保護パネルとの間に配されるタッチパネルセンサを備えるものであってもよい。
【００１８】
前記表示装置において、前記保護パネルは、前記表示面に対して平行な状態で配されるものであってもよい。
【００１９】
前記表示装置において、前記保護パネルは、前記表示面に対して傾斜した状態で配されるものであってもよい。
【００２０】
前記表示装置において、前記保護パネルの板面から出射される出射光の輝度ピークは、前記光出射面の傾く方向に沿いつつ前記保護パネルの法線方向に対して角度θ１をなす方向に現れるものであってもよい。
【００２１】
前記表示装置において、前記光入射面の反対側に配される前記導光板の端面に宛がわれる弾性部材を備えるものであってもよい。前記表示装置がこのような構成を備えていると、表示装置が傾けられた状態で利用されても、光源と光入射面との間の間隔が広がりすることが抑制され、光源からの光が光入射面に対して効率良く入射されることになる。
【００２２】
前記表示装置において、前記表示パネルは、一対の基板間に液晶を封入してなる液晶パネルからなるものであってもよい。
【発明の効果】
【００２３】
本発明によれば、表示面が略水平な状態で設置された場合であっても、利用者が表示面を斜めに見下ろす形で確実に視認することが可能な表示装置を提供することができる。
【図面の簡単な説明】
【００２４】
【図１】本発明の実施形態１に係る液晶表示装置の平面図
【図２】液晶表示装置の分解斜視図
【図３】図１のＡ−Ａ’線断面図
【図４】導光板の光出射面から出射される光を模式的に表した説明図
【図５】導光板の光出射面から出射される光の出射角度及び強度の関係を示すグラフ
【図６】液晶表示装置の表示面から出射される光の出射角度及び強度の関係を模式的に表した説明図
【図７】液晶表示装置の表示面から出射される光の出射角度及び強度の関係を示すグラフ
【図８】液晶表示装置の表示面と水平面との位置関係を模式的に表した説明図
【図９】実施形態２に係る液晶表示装置の断面図
【図１０】実施形態３に係る液晶表示装置の表示面から出射される光を模式的に表した説明図
【図１１】実施形態４に係る液晶表示装置の平面図
【発明を実施するための形態】
【００２５】
＜実施形態１＞
本発明の実施形態１を、図１から図８を参照しつつ説明する。本実施形態では、液晶表示装置（表示装置）１０について例示する。なお、各図面には、Ｘ軸、Ｙ軸及びＺ軸が示されている。図２及び図３に示される上側を表側とし、同図下側を裏側として、液晶表示装置を説明する。
【００２６】
図１は、実施形態１に係る液晶表示装置１０の平面図であり、図２は、液晶表示装置１０の分解斜視図であり、図３は、図１のＡ−Ａ’線断面図である。液晶表示装置１０は、図１に示されるように、表側から平面視した際に、全体として横長の矩形状をなしており、液晶パネル１１と、この液晶パネル１１の背面１１ｂ側に配される照明装置（バックライト装置）１２と、液晶パネル１１の表側（表示面１１ａ側）から被せられる枠状の第１フレーム１３と、第１フレーム１３の表側に配され液晶パネル１１の表示面１１ａと対向する形で配される透明なカバーパネル（保護パネル）２２とを備えている。本実施形態の液晶表示装置１０は、液晶パネル１１の表示面１１ａが略水平な状態で利用される所謂、平置き型である。
【００２７】
液晶パネル１１は、表側から平面視した際、全体として横長の矩形状をなしている。液晶パネル１１は、主として互いに向かい合う一対の透明なガラス基板と、これらの基板間に封入される液晶層とを備えている。これらの基板のうち、背面１１ｂ側（裏側）に配される一方のガラス基板は、所謂、薄膜トランジスタ（以下、ＴＦＴ）アレイ基板であり、表示面１１ａ側（表側）に配される他方のガラス基板は、所謂、カラーフィルタ（以下、ＣＦ）基板である。
【００２８】
ＴＦＴアレイ基板は、主として、透明なガラス製の板上に、スイッチング素子としての複数個のＴＦＴと、各ＴＦＴのドレイン電極に接続する透明な複数個の画素電極とがマトリクス状に設けられたものからなる。個々のＴＦＴ及び画素電極は、画素毎に設けられており、互いに交差するように前記ガラス製の板上に設けられている複数本のゲート配線と、複数本のソース配線とによって区画されている。なお、各ＴＦＴにおけるゲート電極は前記ゲート配線と接続し、それらのソース電極は前記ソース配線と接続している。
【００２９】
ＣＦ基板は、主として、透明なガラス製の板上に、赤色（Ｒ）、緑色（Ｇ）、青色（Ｂ）等の各色からなるＣＦが、前記ＴＦＴアレイ基板の各画素に対応するように、マトリクス状に設けられたものからなる。各ＣＦは、前記ガラス製の板上に格子状に設けられている遮光性のブラックマトリクス（ＢＭ）によって区画されている。なお、前記ＣＦ及び前記ＢＭ上には、前記ＴＦＴアレイ基板の画素電極と向かい合う透明な対向電極等が設けられている。
【００３０】
液晶パネル１１は、上述したソース配線、ゲート配線及び対向電極等に、駆動回路基板から画像を表示するために必要な画像データや各種制御信号が供給されるように構成されている。なお、液晶パネル１１には、その表示面１１ａ側と背面１１ｂ側に、前記一対のガラス基板を挟むようにそれぞれ偏光板（不図示）が設けられている。
【００３１】
照明装置１２は、所謂、エッジライト型（サイドライト型）であり、主として、シャーシ１４と、光学シート１５と、ＬＥＤユニット（光源ユニット）ＬＵと、導光板１９と、反射シート２０と、第２フレーム２１とを備えている。
【００３２】
シャーシ１４は、上側が開口した浅底の箱状をなし、アルミニウム系材料等の金属材料からなる板材をプレス加工等して形成される。シャーシ１４は、表側から平面視した際に、横長の矩形状である底部１４ａと、この底部１４ａの長辺方向の縁に立設されている一対の壁部１４ｃ，１４ｄと、前記底部１４ａの短辺側の縁に立設されている一対の１４ｅ，１４ｆとを備える。
【００３３】
ＬＥＤユニットＬＵは、主として、複数個のＬＥＤ（光源）１６と、ＬＥＤ基板（光源基板）１７とを備えている。ＬＥＤユニットＬＵは、全体的には長手状をなしており、照明装置１２の一方の長辺側のみに配されている。つまり、ＬＥＤユニットＬＵは、シャーシ１４の壁部１４ｃ側にのみ配されている。
【００３４】
ＬＥＤ１６は、ＬＥＤ基板１７に固着されている基板部上にＬＥＤチップを樹脂材により封止した構造（所謂、ＬＥＤパッケージ）となっている。基板部に実装されるＬＥＤチップは、主発光波長が１種類からなる。具体的には、青色を単色発光するものがＬＥＤチップとして利用されている。ＬＥＤチップを封止する樹脂材には、ＬＥＤチップから発せられた青色の光により励起されて所定の色を発光する蛍光体が分散配合されている。前記樹脂材は、全体として概ね白色光を発するように構成されている。なお、蛍光体としては、例えば、黄色光を発光する黄色蛍光体、緑色光を発光する緑色蛍光体、及び赤色光を発光する赤色蛍光体の中から適宜、組み合せたものを用いてもよいし、それらを単独で用いてもよい。ＬＥＤ１６は、ＬＥＤ基板１７に対する実装面とは反対側の面が主発光面１６ａとなっている、所謂、頂面発光型である。
【００３５】
ＬＥＤ基板１７は、全体的には、シャーシ１４の長辺方向（Ｘ軸方向）に沿って細長く延びた板状（長尺状）をなしている。ＬＥＤ基板１７は、その表面の板面（実装面）１７ａがＸ軸方向及びＺ軸方向に沿った姿勢（つまり、導光板１９の板面１９ａと直交させた姿勢）で、シャーシ１４内に収容されている。ＬＥＤ基板１７は、その裏側の板面１７ｂが、シャーシ１４の壁部１４ｃに接触した状態で、壁部１４ｃに固定されている。
【００３６】
ＬＥＤ基板１７は、主として、アルミニウム系材料等の金属材料からなる長尺状（帯状）の基材と、この基材上に形成される合成樹脂からなる絶縁層と、この絶縁層上に形成される銅箔等の金属膜からなる配線パターンと、この配線パターンを覆うように前記絶縁層上に形成される白色の絶縁膜からなる反射層（反射膜）とを備える。なお、説明の便宜上、各図には、ＬＥＤ基板１７における前記基材、絶縁層、配線パターン及び反射層は、一体的に示されている。
【００３７】
ＬＥＤ基材１７の表側の板面（実装面）１７ａ上には、複数個のＬＥＤ１６が表面実装されている。各ＬＥＤ１６は、板面１７ａ上において、ＬＥＤ基板１７の長手方向（Ｘ軸方向）に沿って一列に並んでいる。各ＬＥＤ１６は、板面（実装面）１７ａ上において、互いに同じ形状（外観形状）であると共に、互いに等間隔で並んでいる。各ＬＥＤ１６は、ＬＥＤ基板１７に設けられている前記配線パターンによって互いに直列接続されている。
【００３８】
反射シート２０は、表側から平面視した際に、シャーシ１４の底部１４ａ等と同様、横長の矩形状をなしている。本実施形態の反射シート２０は、白色の発泡プラスチックシート（例えば、発泡ポリエチレンテレフタレートシート）からなる。この反射シート２０は、導光板１９の裏側の板面１９ｂを覆うように、底部１４ａに載せられる形で、シャーシ１４内に収容されている。つまり、反射シート２０は、導光板１９とシャーシ１４の底部１４ａとの間で挟まれる形となっている。
【００３９】
導光板１９は、液晶パネル１１及びシャーシ１４と同様、平面に視て横長の矩形状であり、所定の厚みを有する板状部材からなる。導光板１９は、屈折率が空気よりも高くかつ略透明な合成樹脂材料（例えば、ＰＭＭＡ等のアクリル樹脂やポリカーボネート樹脂等）から製造される。導光板１９は、光学シート１５よりも厚みが大きい板状をなしている。導光板１９は、その主面（表側の板面１９ａ、裏側の板面１９ｂ）における長辺方向がＸ軸方向と一致し、その短辺方向がＹ軸方向と一致し、そして主面（板面１９ａ，１９ｂ）と直交する板厚方向がＺ軸方向と一致するように、各図に示されている。導光板１９は、その裏側の板面１９ｂが、反射シート２０を介して底部１４ａと対向するようにシャーシ１４内に収容されている。
【００４０】
導光板１９の長辺側における一方の端面１９ｃの外側には、ＬＥＤユニットＬＵが配されている。端面１９ｃに対してＬＥＤユニットＬＵの各ＬＥＤ１６がそれぞれ所定間隔を保ちつつ対向している。端面１９ｃは、ＬＥＤ１６から発せられた光が入射される光入射面１９ｃとなっている。導光板１９は、光入射面１９ｃから入射された光を、内部で伝播させつつ表側へ向かうように立ち上げて出射させる機能を有する。導光板１９の表側の板面１９ａは、光入射面１９ｃから入射された光を、液晶パネル１１（光学シート１５）に向けて出射させる光出射面１９ａとなっている。なお、光出射面１９ａから出射される光の詳細は、後述する。
【００４１】
光入射面１９ｃは、Ｘ軸方向及びＺ軸方向（ＬＥＤ基板１７の主板面１７ａ）に沿って平行に配されており、光出射面１９ａに対して略直交している。また、導光板１９の長辺側における他方の端面１９ｄは、シャーシ１４内において、壁部１４ｄと対向するように配されている。この端面１９ｄも、Ｘ軸方向及びＺ軸方向に沿って平行に配されており、光出射面１９ａに対して略直交している。そして、導光板１９の短辺側における２つの端面１９ｅ，１９ｆは、Ｙ軸方向及びＺ軸方向に沿ってそれぞれ平行に配されており、光出射面１９ａに対して略直交している。
【００４２】
本実施形態の場合、導光板１９の裏側の板面１９ｂには、導光板１９内部の光を散乱又は反射させる散乱・反射部１９０が、所定の面内分布を持つようにパターニングされている。散乱・反射部は、例えば、白色の塗料をシルク印刷等によってパターン状に形成したものからなる。この散乱・反射部によって、光出射面１９ａから出射される光の輝度分布が調節されている。散乱・反射部が有する面内分布（パターン）は、液晶パネル１１の表示面１１ａから出射される光に求められる輝度分布に応じて、適宜、選択される。
【００４３】
光学シート１５は、図２等に示されるように、液晶パネル１１等と同様、表側から平面視した際に、横長の矩形状をなしている。本実施形態の光学シート１５は、拡散シート１５ａ、及び反射型偏光シート１５ｂの積層物からなる。なお、光学シート１５としては、例えば、１枚以上の拡散シート１５ａを含むもの、１枚以上のマイクロレンズシートを含むもの、１枚以上の反射型偏光シートを含むもの等が挙げられる。使用される光学シート１５の選択は、液晶パネル１１の表示面１１ａから出射される光に求められる輝度分布に応じて、適宜、選択される。
【００４４】
第２フレーム２１は、液晶パネル１１及び導光板１９の周縁に沿った額縁状（枠状）の部材であり、合成樹脂等からなる。第２フレーム２１は黒色であり、遮光性を有する。第２フレーム２１は、導光板１９の端部を、光学シート１５を介して略全周に亘って表側から押さえる。第２フレーム２１は、導光板１９等を収容したシャーシ１４の各壁部１４ｃ，１４ｄ，１４ｅ，１４ｆの上端側から被せられる。第２フレーム２１は、シャーシ１４の各壁部シャーシ１４の各壁部１４ｃ，１４ｄ，１４ｅ，１４ｆに固定されている。なお、第２フレーム２１の内周縁上には、液晶パネル１１の周縁が載せられている。
【００４５】
液晶パネル１１は、その周縁が、第２フレーム２１の表側から被せられる上述した第１フレーム１３とによって挟まれた状態で、シャーシ１４に取り付けられている。なお、第１フレーム１３は、第２フレーム２１と同様、合成樹脂製であり、第２フレーム２１等と共にシャーシ１４の各壁部１４ｃ，１４ｄ，１４ｅ，１４ｆに固定されている。第１フレーム１３の表側の内周部分には、カバーパネル２２の周縁を収容する収容部１３ａが形成されている。カバーパネル２２は、ガラス、アクリル樹脂、ポリスチレン樹脂、メチルメタクリレート・スチレン共重合樹脂等の透明な板状部材からなる。カバーパネル２２としては、ガラス、アクリル樹脂、ポリスチレン樹脂、メチルメタクリレート・スチレン共重合樹脂からなる群から選ばれる少なくとも１種からなるものが好ましい。カバーパネル２２は、収容部１３ａに収容された状態で、両面粘着剤等を利用して第１フレーム１３に固定されている。カバーパネル２２の裏側の周縁には、遮光層２２ａが形成されている。
【００４６】
液晶表示装置１０は、表示面１１ａが上側を向くと共に略水平な状態で設置されている。液晶表示装置１０は、液晶パネル１１の表示面１１ａに画像を表示させる際、照明装置１２が備えるＬＥＤユニットＬＵの各ＬＥＤ１６が発光する。各ＬＥＤ１６が発光すると、導光板１９の光入射面１９ｃから導光板１９の内部に光が入射する。入射した光は、導光板１９の裏側に敷かれている反射シート２０、導光板の裏側１９の板面１９ｂに形成されている散乱・反射部等によって反射等されて、導光板１９内を進みつつ、その表側の板面（光出射面）１９ａから出射する。板面１９ａから出射した光は、光学シート１５を透過して所定の輝度分布及び所定の視野角を有する光となって、液晶パネル１１の背面１１ｂを照らす。液晶パネル１１は、この照明装置１２からの光を利用して、所定の輝度分布及び所定の視野角を有する画像を表示面１１ａに表示させている。
【００４７】
本実施形態の場合、液晶表示装置１０の表示面１１ａから出射される光（出射光）は、表示面１１ａの法線方向に対して角度θ１をなす方向に輝度ピークを含むものとなっている。つまり、表示面１１ａからの出射光は、表示面１１ａから斜め上方に向かうような偏った輝度分布（視野角特性）を備えている。ここで、図４から図８を参照しつつ、液晶表示装置１０の表示面１１ａから出射される光について、説明する。
【００４８】
図４は、導光板１９の光出射面１９ａから出射される光を模式的に表した説明図である。図４に示されるように、導光板１９の端面（光入射面）１９ｃからＬＥＤ１６からの光Ｌ１が入射されると、その光Ｌ１は、導光板１９の裏側の板面１９ｂに形成されている散乱・反射部１９０や、板面１９ｂを覆うように配されている反射シート２０によって反射等されて、表側の板面（光出射面）１９ａ側に向かうことになる。表側の板面１９ａに向かう光の中には、板面（光出射面）１９ａから外側に向かって出射される光Ｌ２がある。この光Ｌ２は、光学シート１５を透過する前の状態のものである。なお、光Ｌ１が表側の板面１９ａで反射されると、その光Ｌ１は再び裏側の板面１９ｂ側に向かうことになる。その後、その光が反射シート２０等で反射されると、板面（光出射面）１９ａから外側に向かって出射される光Ｌ２となる。
【００４９】
ここで、導光板１９の表側の板面（光出射面）１９ａから出射される光Ｌ２の角度について説明する。図４に示されるように、導光板１９の表側の板面（光出射面）１９ａから出射される光Ｌ２の方向と、板面１９ａの法線Ｍ方向との間に形成される角（出射角度）をθ０とする。図５は、導光板１９の光出射面１９ａから出射される光の出射角度θ０及び強度の関係を示すグラフである。なお、説明の便宜上、光出射面１９ａから出射される光Ｌ２としては、導光板１９の短辺方向（Ｙ軸方向、ＬＥＤ１６の光軸方向、光出射面１９ａが傾けられる方向（後述））に沿ったもののみを説明する（後述の光Ｌ３についても同様）。
【００５０】
図５に示されるグラフの横軸は、光Ｌ２の出射角度θ０’を表し、その縦軸は、光Ｌ２の強度（単位：ｎｉｔ）を表す。なお、出射角度θ０’（−９０°≦θ０’≦９０°）は、法線Ｍを基準とし、図４において時計回りをプラス（正の値）で表す。図５に示されるように、導光板１９の光出射面１９ａからの出射光Ｌ２は、θ０’が大きくなるにしたがって、輝度が高くなる。そして、光Ｌ２の出射角度θ０’がθ０（約８０°）の時、光出射面１９ａから出射される光Ｌ２の輝度が最も高くなっている。光Ｌ２の出射角度θ０’がθ０の時の輝度を、光出射面１９ａから出射される光Ｌ２の輝度ピークと称する。なお、光Ｌ２の出射角度θ０’がθ０を超えると、光Ｌ２の輝度は急激に低下する。なお、光Ｌ２の輝度ピーク時の出射角度θ０は、θ１＜θ０＜９０°となる。θ１については、後述する。
【００５１】
導光板１９における一方の長辺側の端面（光入射面）１９ｃのみから光が入射され、導光板１９の裏側の板面１９ｂに所定の面内分布（パターン）の散乱・反射部１９０が形成されていると、光出射面１９ａから出射される光（出射光）の輝度分布が、図５に示されるような状態となる。なお、光Ｌ２は、光学シート１５や液晶パネル１１に入射される前の状態の光であり、最終的に利用者（ユーザ）Ｕが視認する状態の光ではない。
【００５２】
図６は、液晶表示装置１０の表示面１１ａから出射される光Ｌ３の出射角度θ１０及び強度の関係を模式的に表した説明図であり、図７は、液晶表示装置１０の表示面１１ａから出射される光の出射角度θ１０及び強度の関係を示すグラフである。図６に示されるように、液晶表示装置１０（液晶パネル１１）の表示面１１ａから出射された光Ｌ３の出射方向と、表示面１１ａの法線Ｍとの間に形成される角（出射角度）をθ１０とする。なお、本実施形態の場合、表示面１１ａから出射された光Ｌ３は、カバーパネル２２を透過した後、利用者Ｕに視認されることになる。ただし、表示面１１ａから出射された光Ｌ３の出射角度θ１０は、カバーパネル２２を透過しても、殆ど変化しないものと見なすことができる。そのため、本実施形態では、表示面１１ａから出射された光Ｌ３を、利用者Ｕが視認する光として説明する。
【００５３】
図７に示されるグラフの横軸は、光Ｌ３の出射角度θ１０を表し、その縦軸は、光Ｌ３の強度比（最大値を１００とする）を表す。なお、出射角度θ１０（−９０°≦θ１０≦９０°）は、法線Ｍを基準とし、図６において時計回りをプラス（正の値）で表す。図７に示されるように、表示面１９ａからの出射光Ｌ３は、θ１０が大きくなるにしたがって、輝度が高くなる。そして、光Ｌ３の出射角度θ１０がθ１（約４５°）の時、表示面１１ａから出射される光Ｌ３の輝度が最も高くなっている。光Ｌ３の出射角度θ１０がθ１の時の輝度を、表示面１１ａから出射される光Ｌ３の輝度ピークと称する。なお、光Ｌ３の出射角度θ１０がθ１を超えると、光Ｌ３の輝度は徐々に低下する。
【００５４】
図７に示されるように、光学シート１５を透過し、更に液晶パネル１１を透過した後の光Ｌ３は、導光板１９の光出射面１９ａを出射した光Ｌ２（図５参照）と比べて、輝度ピークとなる出射角度θ１が、小さくなっているものの、その輝度ピーク時の光Ｌ３の出射方向は、法線Ｍ（図６参照）から導光板１９の端面１４ｄ側に遠ざかっている。導光板１９の光出射面１９ａから出射した光Ｌ２は、主として、光学シート１５を透過することによって、図７に示されるような輝度分布を有する光Ｌ３となる。本実施形態の液晶表示装置１０において、使用される光学シート１５は、表示面１１ａから出射される光の輝度分布が、図７に示されるように、法線Ｍから導光板１９の端面１４ｄ側に偏った状態となるように、適宜、選択される。なお、本実施形態では、導光板１９の光出射面１９ａから出射される光Ｌ２を、集光レンズシート等のように、法線Ｍ方向に沿うように集光する従来の光学シートは利用されない。
【００５５】
このように、本実施形態の液晶表示装置１０では、表示面１１ａから出射される光Ｌ３の輝度ピークが、法線Ｍ方向ではなく、法線Ｍから導光板１９の端面１４ｄ側に傾いた方向となるように設定されている。そして、表示面１１ａの法線Ｍ方向に対して角度θ１をなす方向に、輝度ピークを含む出射光Ｌ３が表示面１１ａから出射され、この出射光Ｌ３に基づいて画像が表示面１１ａに表示される。なお、本実施形態の場合、上記角度θ１は、４５°−θ２±１５°で定義される。ここで、θ２は、液晶表示装置１０の表示面１１ａと、水平面Ｈとの間の角度θ２（ただし、０°≦θ２≦２５°）である。
【００５６】
図８は、液晶表示装置１０の表示面１１ａと水平面Ｈとの位置関係を模式的に表した説明図である。本実施形態の液晶表示装置１０は、表示面１１ａが略水平に配置された状態で使用されるものの、若干、表示面１１ａが水平面Ｈに対して傾けられた状態で使用されることも可能である。なお、表示面１１ａが水平面Ｈに対して傾けられる場合、ＬＥＤユニットＬＵが配されている側（壁部１４ｃ側）が上方に位置し、かつその反対側（壁部１４ｄ側）が下方に位置するように表示面１１ａが傾けられる。表示面１１ａと水平面Ｈとの間の角度θ２は、本実施形態の場合、上述したように０°≦θ２≦２５°の範囲である。なお、導光板１９については、光入射面１９ｃ側が上昇する形となり、水平面Ｈに対して光出射面１９ａが角度θ２をなすことになる。本明細書において、０°≦θ２≦２５°の場合、表示面１１ａは略水平な状態にあるものとする場合がある。
【００５７】
表示面１１ａが傾けられた状態で液晶表示装置１０が使用される場合、液晶表示装置１０は載置面が傾斜した所定の台上に載置された状態で使用されてもよいし、載置面が水平な台の上に、所定のスタンドを介して液晶表示装置１０が載置された状態で使用されてもよい。
【００５８】
例えば、角度θ２が１０°に設定されている場合、表示面１１ａから出射される光Ｌ３の輝度ピークは、表示面１１ａの傾く方向に沿いつつ法線Ｍに対して角度θ１（２０°≦θ１≦５０°）をなす方向に現れることになる。このように、表示面１１ａからの出射光Ｌ３の輝度ピークが、法線Ｍ方向ではなく、液晶表示装置１０の壁部１４ｄ側に傾いた方向に設定されていると、液晶表示装置１０の壁部１４ｄ側（ＬＥＤ１６が配置されていない側）から表示面１１ａを斜めに見下ろしている利用者Ｕに向かって出射光Ｌ３が確実に進むことになり、利用者Ｕに向かって光Ｌ３が多く集まるようになる。
【００５９】
本実施形態では、表示面１１ａから出射される光Ｌ３は、図７に示されるように、法線Ｍよりも液晶表示装置１０の壁部１４ｄ側（ＬＥＤ１６が配置されていない側）に偏った輝度分布を備えており、そして、上述したように、出射光Ｌ３は、表示面１１ａの法線Ｍ方向に対して角度θ１（＝４５°−θ２±１５°）をなす方向に、輝度ピークを含んでいる。このような液晶表示装置１０によれば、表示面１１ａが略水平な状態に設置されていても、利用者Ｕは、表示面１１ａを斜めに見下ろす形で確実に視認することができる。また、本実施形態の液晶表示装置１０によれば、法線Ｍよりも液晶表示装置１０の壁部１４ｄ側（ＬＥＤ１６が配置されていない側）に偏った視野角特性を得ることができ、利用者Ｕに対して画像を確実に視認させることができる。
【００６０】
＜実施形態２＞
次いで、本発明の実施形態２を、図９を参照しつつ説明する。なお、以降の実施形態では、実施形態１と同じ部分については、実施形態１のものと同じ符号を付して、その詳細な説明は省略する。図９は、実施形態２に係る液晶表示装置１０Ａの断面図である。なお、図９に示される本実施形態の液晶表示装置１０Ａの断面構成は、図３に示される実施形態１の液晶表示装置１０の断面構成に対応している。本実施形態の液晶表示装置１０Ａは、カバーパネル２２の裏側（液晶パネル１１側）に、入力インターフェイスとしてのタッチパネルセンサ２３を備えている。タッチパネルセンサ２３の外観形状は、概ねカバーパネル２２よりも一回り小さな板状をなしている。タッチパネルセンサ２３は、その外縁部分が、第１フレーム１３の内周縁に設けられている第２収容部１３ｂ内に収容される形で第１フレーム１３に取り付けられている。なお、第２収容部１３ｂは、第１フレーム１３の内周縁に設けられている収容部１３ａの内周縁に設けられている。
【００６１】
このように、液晶表示装置１０Ａが、タッチパネルセンサ２３を備える構成であっても、表示面１１ａからの出射光は、実施形態１のものと同様、法線Ｍよりも液晶表示装置１０Ａの壁部１４ｄ側（ＬＥＤ１６が配置されていない側）に偏った輝度分布を備えており、その出射光は、表示面１１ａの法線Ｍ方向に対して角度θ１（＝４５°−θ２±１５°）をなす方向に、輝度ピークを含むものとなる。このような液晶表示装置１０Ａによれば、実施形態１と同様、表示面１１ａが略水平な状態に設置されていても、利用者Ｕは、表示面１１ａを斜めに見下ろす形で確実に視認することができる。
【００６２】
＜実施形態３＞
次いで、本発明の実施形態３を、図１０を参照しつつ説明する。図１０は、実施形態３に係る液晶表示装置１０Ｂの表示面１１ａから出射される光Ｌ３を模式的に表した説明図である。本実施形態の液晶表示装置１０Ｂでは、表示面１１ａに対してカバーパネル２２が傾斜した状態で配されている。本実施形態の場合、カバーパネル２２は、ＬＥＤ１６に近い方（壁部１４ｃ側）の表示面１１ａに対して接近しつつ、ＬＥＤ１６から遠い方（壁部１４ｄ側）の表示面１１ａに対して離れるように、表示面１１ａに対して傾斜している。本実施形態の場合、カバーパネル２２は、略水平な状態に設定されている。本実施形態のように、液晶表示装置１０Ｂ（液晶パネル１１）の表示面１１ａに対して、それよりも表側にある他のパネルが傾斜した状態であってもよい。
【００６３】
＜実施形態４＞
次いで、本発明の実施形態４を、図１１を参照しつつ説明する。図１１は、実施形態４に係る液晶表示装置１０Ｃの平面図である。なお、図１１には、説明の便宜上、液晶パネル１１や光学シート１５等が取り除かれた状態の液晶表示装置１０Ｃが示されている。本実施形態の液晶表示装置１０Ｃは、導光板１９の端面１９ｄと、シャーシ１４の壁部１４ｄとの間に、ウレタンフォーム等の弾性部材が充填されている。液晶表示装置１０Ｃは、実施形態１と同様、ＬＥＤ１６が配置されている側（壁部１４ｃ側）が上方に配置されると共に、ＬＥＤ１６が配置されていない側（壁部１４ｄ側）が下方に配置されるように、表示面１１ａが傾けられた状態で利用される。導光板１９の所定個所には、裏側から表側に向かって貫通する孔部（不図示）が設けられており、この孔部に、シャーシ１４の底部１４ａに立設されている係止ピン（不図示）が挿入されることによって、導光板１９は、シャーシ１４内において位置決めされている。
【００６４】
液晶表示装置１０Ｃが上記のように傾けられた状態で利用されると、導光板１９が自重により壁部１４ｄ側に近付くように移動する。場合によっては、導光板１９の端面１９ｄが壁部１４ｄに接触してしまうこともある。導光板１９が壁部１４ｄ等に接触すると、導光板１９の破損や異音の発生原因となってしまう。また、導光板１９が自重により、壁部１４ｄ側に移動すると、ＬＥＤ１６と光入射面１９ｃとの間の間隔が大きくなってしまい、ＬＥＤ１６の光が光入射面１９ｃに入射する効率（光入射効率）が低下してしまう。そのため、本実施形態の液晶表示装置１０Ｃでは、導光板１９を上方（壁部１４ｄ）側に押し返すように、弾性部材２３が導光板１９の端面１９ｄに宛がわれている。本実施形態の場合、弾性部材２３は、２つ利用されおり、それぞれ導光板１９の端面１９ｄと、シャーシ１４の壁部１４ｄとの間に挿し込まれている。このように、液晶表示装置１０Ｃが、導光板１９を上方（ＬＥＤ１６側）へ押し返すための弾性部材２３を備えるものであってもよい。
【００６５】
＜他の実施形態＞
本発明は上記記述及び図面によって説明した実施形態に限定されるものではなく、例えば次のような実施形態も本発明の技術的範囲に含まれる。
【００６６】
（１）上記実施形態では、カバーパネルを備える構成であったが、他の実施形態においては、カバーパネルを備えていない構成であってもよい。また、カバーパネルに替えて、カバーフィルムを用いてもよい。
【００６７】
（２）上記実施形態では、導光板の裏側の板面に、散乱・反射部を備える構成であったが、他の実施形態においては、導光板の表側の板面に、散乱・反射部が形成されてもよい。また、上記実施形態では、散乱・反射部が白色の塗料からなるものであったが、他の実施形態においては、導光板の板面をシボ加工等して、散乱・反射部を形成してもよい。
【００６８】
（３）上記実施形態では、光源としてＬＥＤを利用するものを例示したが、他の実施形態においては、本発明の目的を達成できるものであれば、ＬＥＤ以外の光源を利用してもよい。
【００６９】
（４）上記実施形態では、液晶表示装置のスイッチング素子としてＴＦＴを用いたが、ＴＦＴ以外のスイッチング素子（例えば薄膜ダイオード（ＴＦＤ））を用いた液晶表示装置にも本発明は適用可能であり、また、カラー表示する液晶表示装置以外にも、白黒表示する液晶表示装置にも本発明は適用可能である。
【００７０】
（５）上記実施形態は、２０インチ程度の表示面を有する表示装置に適用してもよいし、携帯情報端末等の小型の表示装置に適用してもよい。なお、表示装置の大きさ（表示面の大きさ）は、目的に応じて、適宜設定されるものである。
【００７１】
（６）上記実施形態では、表示パネルとして液晶パネルを用いた液晶表示装置を例示したが、他の種類の表示パネルを用いた表示装置にも本発明は適用可能である。
【００７２】
（７）上記実施形態の液晶表示装置は、ＴＶチューナーを備えるものであってもよい。
【符号の説明】
【００７３】
１０…液晶表示装置（表示装置）、１１…液晶パネル（表示パネル）、１１ａ…表示面、１１ｂ…背面、１２…照明装置、１３…第１フレーム、１４…シャーシ、１４ａ…底部、１４ｃ，１４ｄ，１４ｅ，１４ｆ…壁部、１５…光学シート、１６…ＬＥＤ（光源）、１７…ＬＥＤ基板（光源基板）、１９…導光板、１９ａ…光出射面（表側の板面）、１９ｂ…裏側の板面、１９ｃ…光入射面、１９ｄ…端面、２０…反射シート、２１…第２フレーム、２２…カバーパネル（保護パネル）、２３…タッチパネルセンサ、２４…弾性部材
【図１】
2014041284.tif 000003
【図２】
2014041284.tif 000004
【図３】
2014041284.tif 000005
【図４】
2014041284.tif 000006
【図５】
2014041284.tif 000007
【図６】
2014041284.tif 000008
【図７】
2014041284.tif 000009
【図８】
2014041284.tif 000010
【図９】
2014041284.tif 000011
【図１０】
2014041284.tif 000012
【図１１】
2014041284.tif 000013